(57)【要約】      （修正有）【課題】アルミカーテンウォール組立作業の過程で、アルミ枠にアルミパネルまたはガラス等にビードゴム等を隙間に押しこむ際に用いる道具を提供する。【解決手段】アルミ枠にセットされるチャンネル型又はエル型バイスと、ゴム押し込み部とを持つハンドル可動プレートを軸受け支点部で回動可能に連結し、ハンドル可動プレートを手で押すことでテコの原理でゴム押し込み部がビードゴムを隙間に押し込む構成とする。【選択図】図２
2011099307.tif 000002
【特許請求の範囲】
【発明の詳細な説明】
【技術分類】
本発明はアルミカーテンウォール製作時に行われるアルミ枠とパネルまたはガラス等の隙間に硬いビートゴムをテコの原理を応用し、ビートゴム等を容易で短時間（３分の１）で、品質よく押し込める構造を持った道具である。
【背景技術】
【０００１】従来はアルミ枠にパネルまたはガラス等を嵌め込み固定する作業はアルミ枠とパネルまたはガラス等の隙間にビートゴムを直接棒でたたき入れる作業方法しかなかった。
【発明の開示】
【発明が解決しようとする課題】
【０００２】アルミ枠とパネルまたはガラス等の隙間が狭く、硬いビートゴムをたたき込む方法は困難で、加えてビートゴムにたたき棒で押し込むので凹凸の傷跡が付く等品質も悪く、また叩き込み作業に多くの時間がかかり、現状の作業方法には、さまざまな難点があり、本発明はこの課題を解消するためになされたものである。
【課題を解決するための手段】
【０００３】硬いビートゴムをアルミ枠とパネルの狭い隙間にかち込みすることが出来、かつ治具が接している面が広いために強く押しても傷つかずにスムーズに施工することが容易である。また現状の作業時間の短縮もでき、テコの原理を利用した道具でビートゴムを押し込められて品質向上にも役立つ発明である。
【発明の効果】ビートゴムかち込み作業の経験がない作業者でも本考案の道具を使用することで狭い隙間に容易で短時間に硬いゴム等を確実にかち込み作業することが出来、品質よく均一に仕上げることが可能。
以下、本発明の実施の形態について説明する。
１  アルミ枠にチャンネル・エル型道具のバイス部を密着セットする。
２  ハンドリングアーム部・作用点（Ａ）を手で押すことでハンドプレイト部支点（Ｂ）を心点連動可動する。
３  （Ａ）が（Ｂ）を中心点に可動することで、ハンドプレート先端部力点（Ｃ）に強い力が出来てゴム等を隙間に押し入れることが出来る。
１図  ビートゴム押し込み制作縦断面図と名称
２図  テコの原理を応用した道具可動説明図と符号
３図  発明道具本体の（Ａ）（Ｂ）型絵図
【実施例】
【図面の簡単な説明】
【図１】制作時の製品と道具をセットした、縦断面図である
【図２】テコの原理の可動符号説明〔てこの原理〕ハンド可動プレート部（Ａ）――作用点  軸受け連動中心部（Ｂ）――支点  プレート端押し込み部（Ｃ）――力点
2011099307.tif 000003
【図１】
2011099307.tif 000004
【図２】
2011099307.tif 000005
2011099307.tif 000006
2011099307.tif 000007
【手続補正書】
【提出日】平成22年1月25日(2010.1.25)
【手続補正２】
【補正対象書類名】特許請求の範囲
【補正対象項目名】全文
【補正方法】変更
【補正の内容】
【特許請求の範囲】
【請求項１】
可動式の平板（以下、ハンドリングプレートと呼ぶ）を用いて、てこの原理を応用しているところ。
【請求項２】
ハンドリングプレートの下端の幅の分だけ、ビートゴムを押し込める技術構成になっているところ。
【請求項３】
ハンドリングプレートと枠抑え（以下、アルミ枠（アルミ形材）抑えバイス部と呼ぶ）が一体化した構造となっているところ。
【手続補正３】
【補正対象書類名】明細書
【補正対象項目名】全文
【補正方法】変更
【補正の内容】
【発明の詳細な説明】
【技術分類】
【０００１】本発明は、アルミサッシ業界のビル建材部門でのカーテンウォール製作時の工程に置いて、アルミ枠（アルミ形材）とパネルまたはガラスの隙間にビートゴムを押し込む作業に使用する道具である。
【背景技術】
【０００２】従来の方法は、アルミ枠（アルミ形材）にパネルまたはガラスの隙間にビートゴムを押し込む際、木や樹脂性の棒の先端をビートゴムに押し当てて、その棒を木ハンマー等で叩き、その衝撃でビートゴムの一部分を隙間に押し入れ、その作業を横方向に連続して繰り返し行うことで、アルミ枠（アルミ形材）全周にビートゴムを押し込んで行くやり方であった。
【発明の開示】
【発明が解決しようとする課題】
【０００３】アルミ枠（アルミ形材）とパネルまたはガラスの隙間が狭く、硬いビートゴムを押し込む作業は重労働であり、また棒の先端部分で押し込むので、ビートゴムに凹凸の傷跡が付き品質が落ちる。
さらに、アルミ枠（アルミ形材）全周にビートゴムを押し入れた後、ビートゴムのおさまりをローラーで均一に慣らすので、この作業に要する時間は多大で、全体の工程の効率を下げていた。
【課題を解決するための手段】
【０００４】この道具は、てこの原理を応用したもので、ハンドリングプレート１と雄アルミ枠用（アルミ形材）抑えバイス部５（又は、雌アルミ枠用（アルミ形材）抑えバイス部６）を軸受け支点部３を中心に一体化した構造になっており、アーム部２を作用点、軸受け支点部３を支点、ビートゴム押し込み部４を力点とし、９０度可動式のハンドリングプレート１を水平の状態から垂直の状態に手で起こすことで、ビートゴム９をアルミ枠（アルミ形材）７とパネルまたはガラス８の隙間にスムーズに押し込めるように設計した。また、雄アルミ枠用（アルミ形材）抑えバイス部５（又は、雌アルミ枠用（アルミ形材）抑えバイス部６）がアルミ枠（アルミ形材）７に密着セットされることにより、安定したビートゴム押し込み作業を可能にした。
【発明の効果】
【０００５】この道具を使用することにより、従来の重労働は軽減され、熟練した技術も必要なく、誰でも手軽にこの作業を行えるようになった。また、ハンドリングプレートの下端の幅（３０〜５０ｃｍ）の分だけビートゴムを一度に均一にかつ確実に押し込み可能なので、ビートゴムのおさまりをローラーで均一に慣らす手間も省け、従来の作業時間よりも３分の１以下に短縮出来た。さらにビートゴム押し込み部の幅が広い為、ビートゴムに凹凸の傷跡を付けずに済み、品質も向上した。
以下、本発明の実施の形態について説明する。
（イ）アルミ枠（アルミ形材）７に雄アルミ枠用（アルミ形材）抑えバイス部５（又は、雌アルミ枠用（アルミ形材）抑えバイス部６）をセットする。
（ロ）アーム部２を作用点とし、水平状態のハンドリングプレート１が軸受け支点部３を支点に９０度（垂直）になるまで手で起こす。
（ハ）ビートゴム押し込み部４が力点となり、アルミ枠（アルミ形材）７とパネルまたはガラス８との隙間にビートゴム９が押し込まれる。
【図面の簡単な説明】
【０００６】
【図１】本発明の雄アルミ枠用（アルミ形材）抑えバイス部５の形状を斜めから見た立体図である。
【図２】本発明の雌アルミ枠用（アルミ形材）抑えバイス部６の形状を斜めから見た立体図である。
【図３】本発明のハンドリングプレート１の９０度（垂直）時点の縦断面図である。
【図４】本発明の使用状態を示す、ハンドリングプレート１の９０度（垂直）時点の縦断面図である。
【符号の説明】
【０００７】１．ハンドリングプレート
２．アーム部
３．軸受け支点部
４．ビートゴム押し込み部
５．雄アルミ枠用（アルミ形材）抑えバイス部
６．雌アルミ枠用（アルミ形材）抑えバイス部
７．アルミ枠（アルミ形材）
８．パネルまたはガラス
９．ビートゴム
【手続補正４】
【補正対象書類名】図面
【補正対象項目名】全図
【補正方法】変更
【補正の内容】
【図１】
2011099307.tif 000008
【図２】
2011099307.tif 000009
【図３】
2011099307.tif 000010
【図４】
2011099307.tif 000011